(57)【特許請求の範囲】
【請求項１】
芯線を絶縁チューブにて被蔽し、更に、該絶縁チューブに被蔽された芯線の外周面に編み込んで形成された編組線を延長し、且つ、該編組線を絶縁体にて被蔽して形成した同軸ケーブルのアンテナコードをアンテナユニットの回路基板にハンダ付け等して接続する防水アンテナにおいて、
前記回路基板と接続するアンテナコード基部の編組線の露出した部分を合成樹脂にて封止して前記絶縁チューブと前記絶縁体との間に形成される隙間を遮断し、且つ、前記アンテナコード基部を前記回路基板上に固定して樹脂封止した部分を、防水用パッキンを介してアッパーケースとロアーケースで被蔽して、
前記アンテナコード基部を前記ケース内部に密閉状態におく構成とすることを特徴とする防水アンテナ。
【発明の詳細な説明】
【０００１】
【発明の属する技術分野】
この発明は防水アンテナに関するものであり、特に、外部からの漏水を防止する防水アンテナに関するものである。
【０００２】
【従来の技術】
従来此種防水アンテナを図６乃至図８に従って説明する。
【０００３】
図において、１は防水アンテナであり、該防水アンテナ１はＧＰＳ等に用いられ屋外にて使用される。図６及び図７に示すように、該防水アンテナ１は、アンテナユニット２にアンテナコード３を接続して形成される。
【０００４】
また、図６及び図８に示すように、該アンテナコード３の先端部にはコネクタ４が装着されている。そして、該コネクタ４を電子機器本体（図示せず）に接続し、各種データを該電子機器本体に入力できるように構成している。
【０００５】
一方、図７に示すように、該アンテナコード３は芯線５を絶縁チューブ６にて被蔽している。更に、該絶縁チューブ６にて被蔽した芯線５の外周に、編み込んで形成された編組線７を巻装して延長し、且つ、該編組線７の外周を絶縁体８にて被蔽して同軸ケーブルの前記アンテナコード３が構成される。
【０００６】
また、図６及び図７に示すように、該アンテナコード３の基部は絶縁チューブ６及び絶縁体８が切欠されて芯線５及び編組線７が露出され、該芯線５はアンテナユニット２に内装された回路基板９にハンダ付けして接続されている。更に、該回路基板９には、露出した編組線７の外周面に当接する爪部１０が設けられ、該爪部１０にてアンテナコード３の編組線７の露出部１１を挟持している。
【０００７】
そして、該回路基板９等をアッパーケース１２及びロアケース１３にて密閉し、雨等による該アンテナユニット２への漏水を防止している。該アンテナユニット２は該アッパーケース１２とロアケース１３との間にパッキンを介在させ、或は、シーリングを施して密閉される。
【０００８】
【発明が解決しようとする課題】
上述した従来の防水アンテナはケースにてアンテナユニットを密閉し、該アンテナユニットへの漏水を防止している。
【０００９】
しかし、前記アンテナコードは編組線が編み込んで形成されているため、該編組線を填装した絶縁チューブと絶縁体との間に間隙を生じている。そして、気温が低下した際には、室外に設置された前記アンテナユニット内の空気が収縮して気圧が低下するので、絶縁チューブと絶縁体との間隙を介して前記コネクタ部位の該間隙の開放部より雨等が吸引される。
【００１０】
従って、該吸引された雨等が接続されたアンテナユニットの回路基板にて放出されるので、アンテナユニットの回路基板等がショートして品質の低下を招いている。
【００１１】
そこで、気温が低下してもアンテナユニットへ雨等が漏水するこを防止して該防水アンテナの品質を向上するために解決せられるべき技術的課題が生じてくるのであり、本発明は該課題を解決することを目的とする。
【００１２】
【課題を解決するための手段】
この発明は、上記目的を達成するために提案せられたものであり、芯線を絶縁チューブにて被蔽し、更に、該絶縁チューブに被蔽された芯線の外周面に編み込んで形成された編組線を延長し、且つ、該編組線を絶縁体にて被蔽して形成した同軸ケーブルのアンテナコードをアンテナユニットの回路基板にハンダ付け等して接続する防水アンテナにおいて、
前記回路基板と接続するアンテナコード基部の編組線の露出した部分を合成樹脂にて封止して前記絶縁チューブと前記絶縁体との間に形成される隙間を遮断し、且つ、前記アンテナコード基部を前記回路基板上に固定して樹脂封止した部分を、防水用パッキンを介してアッパーケースとロアーケースで被蔽して、
前記アンテナコード基部を前記ケース内部に密閉状態におく構成とする防水アンテナを提供するものである。
【００１３】
【発明実施の形態】
以下、本発明の実施の形態を図１及び図５に従って説明する。
【００１４】
図において、２０は防水アンテナである。該防水アンテナ２０は車のナビゲーションシステムに採用されているＧＰＳ（グローバル  ポジショニング  システム）等に用いられ、車外や屋外にて使用される。図１及び図２に示すように、該防水アンテナ２０は、アンテナユニット２１にアンテナコード２２を接続して形成されている。
【００１５】
一方、図１及び図３に示すように、該アンテナコード２２の先端部にはコネクタ２３が装着されている。そして、該コネクタ２３をカーナビゲーションの電子機器本体（図示せず）に接続して空中波により送信された各種データを前記防水アンテナ２０にて受信して該電子機器本体に入力できるように構成している。
【００１６】
また、図３に示すように、前記アンテナコード２２は、芯線２４を絶縁チューブ２５にて被蔽し、且つ、該絶縁チューブ２５にて被蔽した芯線２４の外周面に、編み込んで形成した編組線２６を巻装して延長している。そして、該編組線２６の外周面を絶縁体２７にて被覆して同軸ケーブルの該アンテナコード２２を構成している。
【００１７】
更に、図１及び図２に示すように、該アンテナコード２２の基部は、絶縁チューブ２５及び絶縁体２７が切欠されて芯線２４及び編組線２６が露出されている。該芯線２４は、前記アンテナユニット２１に内装された回路基板２８にハンダ付けにて接続される。
【００１８】
また、該回路基板２８には該アンテナコード２２の接続部位に爪部２９を設けている。該爪部２９は露出した編組線７の外周面に当接し、且つ、該編組線２６の露出部３０を挟持して固定するように形成されている。
【００１９】
更に、、前記アンテナユニット２１は、アッパーケース３１及びロアケース３２にて被蔽されている。該アッパーケース３１とロアケース３２との間にパッキンを介在させ、或は、シーリングを施して該アンテナユニット２１を密閉し、雨等による該アンテナユニット２１への漏水を防止している。
【００２０】
尚、図中符号３３はアンテナエレメント、３４は給電エレメント、３５はアース板、３６は回路部品である。
【００２１】
一方、前記アンテナコード２２の基部がアンテナユニット２１の回路基板２８に接続される際には、上述したように先ず、該アンテナコード２２の基部の絶縁チューブ２５及び絶縁体２７が切欠されて芯線２４の先端部及び編組線２６の先端部が露出される。
【００２２】
そして、該芯線２４の露出部３７は、ハンダ付けにて前記回路基板２８に接続される。また、編組線２６の露出部３０を爪部２９にて挟持して接続し、且つ、該回路基板２８に固定する。更に、該編組線２６の露出部３０をシリコンゴム３８にて封止し、前記絶縁チューブ２５と絶縁体２７との間に形成される間隙を前記アンテナユニット２１の内部より遮断している。
【００２３】
而して、気温が低下した際には、アンテナユニット２１内の空気が収縮して気圧が低下する。しかし、該防水アンテナ２０はアンテナコード２２基部の編組線２７の露出部３０をシリコンゴム３８にて封止して該絶縁チューブ２５と絶縁体２７との間に形成される間隙を該アンテナユニット２１の内部より遮断しているので、該間隙から発生する漏水を防止して防水アンテナの品質を向上することができる。
【００２４】
尚、本発明は、本発明の精神を逸脱しない限り種々の改変をなすことができ、そして、本発明が該改変せられたものに及ぶことは当然である。
【００２５】
【発明の効果】
この発明は上記一実施の形態に詳述したように、回路基板に接続するアンテナコードの基部の編組線の露出部を合成樹脂にて封止しているので、該アンテナコードの編組線を充填した絶縁チューブと絶縁体との間に形成される間隙と、アンテナユニットの内部とを確実に遮断することができる。
また、上記隙間を遮断したアンテナコード基部を前記回路基板上に固定して樹脂封止した部分を、防水用パッキンを介してアッパーケースとロアーケースで被蔽して、前記アンテナコード基部を前記ケース内部に密閉状態におくから、雨等による該アンテナユニットへの漏水を防止できる。
【００２６】
従って、上記絶縁チューブと絶縁体との間に形成される間隙をアンテナユニットの内部より遮断しているものであるところ、該間隙より発生していた漏水を防止してアンテナユニットの回路基板等のショートを防止することができるので、防水アンテナの品質を向上すると共に、該防水アンテナの寿命をも向上する正に著しい効果のある発明である。
【図面の簡単な説明】
【図１】防水アンテナの縦断面図。
【図２】防水アンテナの一部切欠拡大縦断面図。
【図３】コネクタ部位の拡大縦断面図。
【図４】アンテナコードの基部を回路基板に接続した状態を示す要部の拡大縦断面図。
【図５】回路基板に接続したアンテナコードの編組線の露出部をシリコンゴムにて封止した状態を示す要部の拡大縦断面図。
【図６】従来の防水アンテナの縦断面図。
【図７】従来の防水アンテナの一部切欠拡大縦断面図。
【図８】コネクタ部位の拡大縦断面図。
【符号の説明】
２０  防水アンテナ
２１  アンテナユニット
２２  アンテナコード
２４  芯線
２５  絶縁チューブ
２６  編組線
２７  絶縁体
２８  回路基板
３０  露出部
３８  シリコンゴム
【図１】
0003728962.tif 000002
【図２】
0003728962.tif 000003
【図３】
0003728962.tif 000004
【図４】
0003728962.tif 000005
【図５】
0003728962.tif 000006
【図６】
0003728962.tif 000007
【図７】
0003728962.tif 000008
【図８】
0003728962.tif 000009